(57)【要約】【課題】広告ごとにクリック等の実績があったユーザの属性を特定して広告の配信条件に活用する。【解決手段】広告を配信するサーバコンピュータを制御し、広告ごとに実際にクリックや申込などの実績があったユーザに共通する属性を抽出したうえ、広告又は広告主に対応付けて記憶し、単独又は他の条件と併用して広告の配信条件に活用することにより、予期せぬユーザ層が広告に関心を持つなどユーザの実際の反応など状況に応じた機動的な広告配信が実現できる。【選択図】図４
2011238020.tif 000002
【特許請求の範囲】
【請求項１】
ユーザに閲覧されるウェブページに広告を表示する広告表示装置であって、
表示すべき広告を記憶している広告記憶手段と、
前記ウェブページを閲覧するユーザごとの属性を記憶しているユーザ情報記憶手段と、
表示した広告に対する所定の応答実績があったユーザを記憶する実績ユーザ記憶手段と、
前記広告ごとに、前記実績ユーザ記憶手段に記憶されている複数のユーザに共通する属性を特徴属性として前記ユーザ情報記憶手段から抽出する抽出手段と、
抽出された前記特徴属性を前記広告又はその広告の広告主に対応付けて記憶する広告属性記憶手段と、
前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信する配信手段と、
を有することを特徴とする広告表示装置。
【請求項２】
前記配信手段は、広告主又はその広告主の広告に対応付けて前記特徴属性が前記広告属性記憶手段に記憶されている広告主について新たな広告を配信しようとするとき、その広告主又はその広告主の広告に対応付けられている前記特徴属性をその新たな広告の配信の少なくとも一部について配信条件の初期値として適用することを特徴とする請求項１記載の広告表示装置。
【請求項３】
前記抽出手段は、前記実績ユーザ記憶手段に記憶されている複数のユーザであって、直近の所定期間における前記応答実績があったユーザに共通する属性を特徴属性として前記ユーザ情報記憶手段から定期的に抽出する
ことを特徴とする請求項１又は２記載の広告表示装置。
【請求項４】
コンピュータが、ユーザに閲覧されるウェブページに広告を表示する広告表示方法であって、
コンピュータが、
表示すべき広告を記憶している広告記憶手段と、
前記ウェブページを閲覧するユーザごとの属性を記憶しているユーザ情報記憶手段と、
表示した広告に対する所定の応答実績があったユーザを記憶する実績ユーザ記憶手段と、
広告属性記憶手段と、
を実現し、
コンピュータが、前記広告ごとに、前記実績ユーザ記憶手段に記憶されている複数のユーザに共通する属性を特徴属性として前記ユーザ情報記憶手段から抽出する抽出ステップと、
コンピュータが、抽出された前記特徴属性を前記広告又はその広告の広告主に対応付けて前記広告属性記憶手段に記憶させるステップと、
コンピュータが、前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信する配信ステップと、
を含むことを特徴とする広告表示方法。
【請求項５】
コンピュータを制御し、ユーザに閲覧されるウェブページに広告を表示させる広告表示プログラムであって、
そのプログラムはコンピュータを制御することにより、
表示すべき広告を記憶している広告記憶手段と、
前記ウェブページを閲覧するユーザごとの属性を記憶しているユーザ情報記憶手段と、
表示した広告に対する所定の応答実績があったユーザを記憶する実績ユーザ記憶手段と、
広告属性記憶手段と、
を実現させ、
前記広告ごとに、前記実績ユーザ記憶手段に記憶されている複数のユーザに共通する属性を特徴属性として前記ユーザ情報記憶手段から抽出させ、
抽出された前記特徴属性を前記広告又はその広告の広告主に対応付けて前記広告属性記憶手段に記憶させ、
前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信させる
ことを特徴とする広告表示プログラム。
【発明の詳細な説明】
【技術分野】
【０００１】
本発明は、ウェブ広告の配信に関する。
【背景技術】
【０００２】
近年普及した各種のウェブ広告について、広告を組み込むウェブページや、見せる対象のユーザといった広告ごとの配信条件は、従来、広告主側の情報を基に事前に特定していた。その典型例は、広告を入稿し発注する時点で、キーワードやユーザ属性を広告主が指定することである。また、広告主側の情報で配信条件を特定する他の例として、広告主の属性や指定に基づくキーワードなどが共通する複数の広告主をグループ化して共通の配信条件を適用することで、広告機会を増やす提案もあった（例えば、特許文献１参照）。
【先行技術文献】
【特許文献】
【０００３】
【特許文献１】特開２００７−２４９９６９号公報
【発明の概要】
【発明が解決しようとする課題】
【０００４】
しかし、従来のようにユーザ属性などの配信条件を広告主側の情報のみで事前に特定することが必ずしも常に最善とは限らず、例えば予期せぬユーザ層が広告に関心を示す等、ユーザの実際の反応など状況に応じた機動的な広告配信は困難という課題があった。
【０００５】
上記の課題に対し、本発明の目的は、広告ごとにクリック等の実績があったユーザの属性を特定して広告の配信条件に活用することである。
【課題を解決するための手段】
【０００６】
上記の目的をふまえ、本発明の一態様（１）の発明は、ユーザに閲覧されるウェブページに広告を表示する広告表示装置であって、表示すべき広告を記憶している広告記憶手段と、前記ウェブページを閲覧するユーザごとの属性を記憶しているユーザ情報記憶手段と、表示した広告に対する所定の応答実績があったユーザを記憶する実績ユーザ記憶手段と、前記広告ごとに、前記実績ユーザ記憶手段に記憶されている複数のユーザに共通する属性を特徴属性として前記ユーザ情報記憶手段から抽出する抽出手段と、抽出された前記特徴属性を前記広告又はその広告の広告主に対応付けて記憶する広告属性記憶手段と、前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信する配信手段と、を有することを特徴とする。
【０００７】
本発明の他の態様（４）は、上記態様を方法のカテゴリで捉えたもので、コンピュータが、ユーザに閲覧されるウェブページに広告を表示する広告表示方法であって、コンピュータが、表示すべき広告を記憶している広告記憶手段と、前記ウェブページを閲覧するユーザごとの属性を記憶しているユーザ情報記憶手段と、表示した広告に対する所定の応答実績があったユーザを記憶する実績ユーザ記憶手段と、広告属性記憶手段と、を実現し、コンピュータが、前記広告ごとに、前記実績ユーザ記憶手段に記憶されている複数のユーザに共通する属性を特徴属性として前記ユーザ情報記憶手段から抽出する抽出ステップと、コンピュータが、抽出された前記特徴属性を前記広告又はその広告の広告主に対応付けて前記広告属性記憶手段に記憶させるステップと、コンピュータが、前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信する配信ステップと、を含むことを特徴とする。
【０００８】
本発明の他の態様（５）は、上記態様をコンピュータ・プログラムのカテゴリで捉えたもので、コンピュータを制御し、ユーザに閲覧されるウェブページに広告を表示させる広告表示プログラムであって、そのプログラムはコンピュータを制御することにより、表示すべき広告を記憶している広告記憶手段と、前記ウェブページを閲覧するユーザごとの属性を記憶しているユーザ情報記憶手段と、表示した広告に対する所定の応答実績があったユーザを記憶する実績ユーザ記憶手段と、広告属性記憶手段と、を実現し、前記広告ごとに、前記実績ユーザ記憶手段に記憶されている複数のユーザに共通する属性を特徴属性として前記ユーザ情報記憶手段から抽出させ、抽出された前記特徴属性を前記広告又はその広告の広告主に対応付けて前記広告属性記憶手段に記憶させ、前記広告属性記憶手段に記憶されている前記特徴属性と前記ユーザ情報記憶手段に記憶されているユーザごとの属性との関連性に基づいて、その特徴属性に対応付けられている広告又はその特徴属性に対応付けられている広告主の広告を配信させることを特徴とする。
【０００９】
このように、広告ごとに実際にクリックや申込などの実績があったユーザに共通する属性を抽出したうえ、広告又は広告主に対応付けて記憶し、単独又は他の条件と併用して広告の配信条件に活用することにより、予期せぬユーザ層が広告に関心を持つなどユーザの実際の反応など状況に応じた機動的な広告配信が実現できる。
【００１０】
本発明の他の態様（２）は、上記いずれかの態様において、前記配信手段は、広告主又はその広告主の広告に対応付けて前記特徴属性が前記広告属性記憶手段に記憶されている広告主について新たな広告を配信しようとするとき、その広告主又はその広告主の広告に対応付けられている前記特徴属性をその新たな広告の配信の少なくとも一部について配信条件の初期値として適用することを特徴とする。
【００１１】
このように、特徴情報が存在する広告主の新たな広告を配信する場合、配信の少なくとも一部について、既存の特徴情報を配信条件の初期値として適用することにより、ランダムな配信条件や全く新規な配信条件のみで配信を開始する場合と比べ、配信当初から商品や分野などの関連に基づく優れた実績が期待でき、広告機会が有効活用できる。
【００１２】
本発明の他の態様（３）は、上記いずれかの態様において、前記抽出手段は、前記実績ユーザ記憶手段に記憶されている複数のユーザであって、直近の所定期間における前記応答実績があったユーザに共通する属性を特徴属性として前記ユーザ情報記憶手段から定期的に抽出することを特徴とする。
【００１３】
このように、一週間以内、３日以内など、直近の所定期間において応答実績のあったユーザ群の特徴属性を用いることにより、流行などの事情をリアルタイムに反映したユーザをターゲットにした広告表示が可能となる。
【００１４】
なお、上記の各態様とは異なるカテゴリ（装置に対し方法、方法に対しプログラムなど）や、以下に説明するさらに具体的な各態様も本発明に含まれる。異なるカテゴリについては、「手段」を「ステップ」のように適宜読み替えるものとする。
【発明の効果】
【００１５】
本発明によれば、広告ごとにクリック等の実績があったユーザの属性を特定して広告の配信条件に活用することが可能となる。
【図面の簡単な説明】
【００１６】
【図１】本発明の実施形態の構成を示す機能ブロック図。
【図２】本発明の実施形態で用いる情報（データ）を例示する図。
【図３】本発明の実施形態における処理手順を示すフローチャート。
【図４】本発明の実施形態における広告表示を示す概念図。
【発明を実施するための形態】
【００１７】
次に、本発明を実施するための形態（「実施形態」と呼ぶ）について、図に沿って説明する。なお、背景技術や課題などで既に述べた内容と共通の前提事項については適宜省略する。
【００１８】
〔１．構成〕
本実施形態は、図１に示すように、通信ネットワークＮ経由で、端末Ｔを用いるユーザに閲覧されるウェブページに広告を表示する広告表示装置１（以下「本装置１」又は「本装置」と呼ぶ）に関する。本装置１は、一般的なコンピュータの構成として少なくとも、ＣＰＵなどの演算制御部６と、外部記憶装置（ＨＤＤ等）や主メモリ等の記憶装置７と、通信ネットワークＮ（インターネット、携帯電話網、ＬＡＮなど）との通信手段８（ＬＡＮアダプタなど）と、を有する。また、端末Ｔは、パーソナル・コンピュータ（ＰＣ）、スマートフォンや携帯電話端末装置など、ユーザの用いる情報処理装置で、図１では少数を模式的に例示するが、多数あってもよい。
【００１９】
そして、本装置１では、記憶装置７に予め記憶（インストール）した図示しない所定のコンピュータ・プログラムが演算制御部６を制御することで、図１に示す各手段などの要素（１１，１２，１５など）を実現する。これら各要素のうち、情報の記憶手段は、記憶装置７において各種のデータベース（「ＤＢ」とも表す）やファイル、配列等の変数、各種スタックやレジスタ、システム設定値など任意の形式で実現できる。
【００２０】
このような記憶手段のうち、広告記憶手段１１は、図２（１）に例示するように、ウェブページに組み込んで表示すべき広告（表示ファイルなど）を記憶している手段である。また、ユーザ情報記憶手段１２は、広告が組み込まれるウェブページを閲覧するユーザごとの属性を記憶している手段である。ここでいうユーザの属性は、図２（２）に例示するように、ウェブサイトの利用会員登録のときに登録されるなどした性別、年齢（生年月日）、居住地域、職業などである。
【００２１】
実績ユーザ記憶手段１３は、表示した広告に対する所定の応答実績（広告のクリックや購入又は資料請求の申込など）があったユーザを記憶する手段である（例えば図２（３））。広告属性記憶手段１４は、広告ごとに抽出手段により抽出（後述）された特徴属性を広告又はその広告の広告主に対応付けて記憶する手段である（例えば図２（４））。なお、記憶手段以外の各手段は、以下のような情報処理の機能・作用を実現・実行する処理手段である。
【００２２】
〔２．作用〕
上記のように構成した本装置１において、広告の配信に関する処理手順を図３のフローチャートに示す。
〔２−１．実績の記録〕
まず、入稿され広告記憶手段１１に記憶されている広告を、配信手段１７が端末Ｔに配信して表示させる（ステップＳ３１）。広告主等による広告の入稿後、初期の配信（例えば、表示の予定総数が１００万回のところ５万回など）では、予め指定された属性のユーザを選んで広告を表示するいわゆるターゲティングは必須ではない。そして、実績捕捉手段１５は、広告の配信に伴い、配信され端末Ｔに表示された広告に対する所定の応答実績（広告のクリック、購入又は資料請求の申込など）があったユーザを、実績ユーザ記憶手段１３に記憶させる（ステップＳ３２）。
【００２３】
例えば、図２（３）の例では、破線の楕円や矢印で以下示すように、ある広告主ＩＤ「Ｋ１７」に対し、応答実績のあったユーザのユーザＩＤ「Ｕ０１」「Ｕ０７」が対応付けて記憶されている。実績捕捉手段１５による応答実績の把握は、購入や資料請求などを処理するサーバとの連携により、また、広告のリンク先ＵＲＬへの遷移をリダイレクトサーバでカウントしたり、ウェブビーコンなどの技術を適宜用いて行う。
【００２４】
〔２−２．特徴の抽出〕
広告の表示を所定数（例えば１００万回のうち５万回）行うと（ステップＳ３３）、抽出手段１６は、広告ごとに、実績ユーザ記憶手段１３に記憶されている複数のユーザに共通する属性を特徴属性としてユーザ情報記憶手段１２から抽出し、このように抽出した特徴属性を広告又はその広告の広告主に対応付けて広告属性記憶手段１４に記憶させる（ステップＳ３４）。
【００２５】
例えば、図２（３）では、広告主ＩＤ「Ｋ１７」に対し、ユーザＩＤ「Ｕ０１」などが対応付けられ、このユーザＩＤ「Ｕ０１」に対応する属性は、ユーザ情報記憶手段１２（図２（２））では、女性、３３歳である。そして例えば、抽出手段１６は、同じ広告主ＩＤに対応付けられている他のユーザＩＤに対応する各属性も基にして、公知の統計分析などの手法を適宜適用することにより、広告主ＩＤ「Ｋ１７」に対し「Ｆ１（女性、２０−３４歳）」のように、応答実績あるユーザ群に共通する特徴的な特徴属性を抽出し、図２（４）に例示するように、広告属性記憶手段１４に記憶させる。
【００２６】
ここで、「Ｆ１」や後述する「Ｍ２」などの符号記号は、マーケティング分野において性別年代で需要者層を分類する区分である。なお、図２（４）の例では、特徴属性を広告主ＩＤに対応付けているが、特徴属性は個別の広告や、その他の適宜設定したジャンルとしての商品などに対応付けてもよい。
【００２７】
〔２−３．属性に基づく広告配信〕
配信手段１７は、以上のように広告属性記憶手段１４に記憶されている特徴属性と、ユーザ情報記憶手段１２に記憶されているユーザごとの属性と、の関連性に基づいて、その特徴属性に対応付けられている広告又はその特徴属性に対応付けられている広告主の広告を配信し（ステップＳ３５）、表示回数が予定総数（例えば１００万回）に到達すると（ステップＳ３６：「ＹＥＳ」）、その広告については処理を終了する。
【００２８】
例えば、図４の概念図に示すように、広告主Ｘの広告ｘ１を最初は、対象のユーザを条件付けずランダムに、ユーザＡとＢのみならずユーザＣやＤにも配信する。一つのケースとして、時代設定が古いドラマに関する広告について広告主は、各種検討の結果、５０歳以上となる「Ｍ３」「Ｆ３」の需要者層を想定したが、念のためそれら「Ｍ３」「Ｆ３」に限定せず本発明による広告配信を利用したとする。
【００２９】
そして、広告ｘ１を実際にクリックしたユーザ群（ユーザＡやＢなど）に多い特徴属性を抽出したところ、たまたまその設定の時代が若い女性の間で興味を惹いていた結果、事前予想に反して若年層（例えば「Ｆ１」：女性２０〜３４歳）であり、この属性が広告主Ｘに対応付けられる。この結果、以降、広告ｘ１については、その特徴属性（「Ｆ１」）を持つユーザＡやＢなどを対象として、いわゆるターゲティングによる配信を行う。
【００３０】
上記のケースでは、広告主側の情報（「Ｍ３」「Ｆ３」という想定）とは異なり、ユーザの実際の反応としては予期せぬユーザ層（「Ｆ１」）が広告に関心を示したという実情があったが、なんら人手を介すること無く、その実情に応じて、そのユーザ層（「Ｆ１」）に対し機動的な広告配信を行うことが可能となった。
【００３１】
同様に、図４（２）に示す広告主Ｙの広告ｙ１をクリックしたユーザＣやＤなどに、属性として例えば「Ｍ２」：男性３５〜４９歳が多ければ、それを特徴属性として広告主Ｙに対応付ける。以降、広告主Ｙの広告ｙ１やｙ２は、その特徴属性（「Ｍ２」）を持つユーザＣやＤなどを対象として、ターゲティングを伴って配信される。
【００３２】
なお、特徴属性は、広告の配信条件に単独で適用することには限定されず、広告主の指定などに基づく他の条件と併用してもよい。例えば、広告主が指定した居住地域を前提とし、それと複合条件として組み合わせる性別年齢の区分について本発明を適用するなどである。
【００３３】
また、一週間以内、３日以内など、直近の所定期間において応答実績のあったユーザ群の特徴属性を用いることにより、流行などの事情をリアルタイムに反映したユーザをターゲットにした広告表示が可能となる。この場合、抽出手段１６は、実績ユーザ記憶手段１３に記憶されている複数のユーザであって、直近の所定期間（一週間以内、３日以内など）における応答実績があったユーザに共通する属性を特徴属性としてユーザ情報記憶手段１２から、所定周期で定期的に抽出する。
【００３４】
ここで、「直近の所定期間における応答実績があったユーザ」に共通する属性を抽出するには、実績ユーザ記憶手段１３に常に所定期間分だけのユーザを記憶しておいて抽出手段１６がその全員を対象としてもよいし、実績ユーザ記憶手段１３には所定期間より長期の分のユーザを記憶しておいて、抽出手段１６が所定期間における応答実績があったユーザのみを選択的に対象としてもよい。また、過去１ヶ月分に基づく抽出を毎週行うなど、抽出対象とする所定期間と、抽出の所定周期は互いに異なってもよい。
【００３５】
〔２−４．初期値としての活用〕
また、配信手段１７は、広告主又はその広告主の広告に対応付けて特徴属性が広告属性記憶手段１４に記憶されている広告主（例えばＸ）について新たな広告（例えばｘ２について）を配信しようとするとき、その広告主Ｘ又はその広告主の広告に対応付けられている特徴属性（例えば「Ｆ１」）を、その新たな広告ｘ２の配信の少なくとも一部について配信条件の初期値として適用する。
【００３６】
ここで、配信の「少なくとも一部」とは、どのようなパターンでもよい。例えば、新たな広告について特徴属性の抽出に先立つ配信の全部でも、その一部でもよい。また、特徴属性の抽出後について、個別の広告（例えばｘ２）について抽出された特徴属性に基づくターゲティングによる配信分のほかに、所定の割合の配信については、配信条件の初期値として広告主Ｘに対応付けられている特徴属性（例えば「Ｆ１」）を配信状態の初期値として適用するなどでもよい。
【００３７】
〔３．効果〕
本実施形態では、以上のように、広告ごとに実際にクリックや申込などの実績があったユーザに共通する属性を抽出したうえ、広告又は広告主に対応付けて記憶し（図３のステップＳ３４）、単独又は他の条件と併用して広告の配信条件に活用することにより（ステップＳ３５）、予期せぬユーザ層が広告に関心を持つなどユーザの実際の反応など状況に応じた機動的な広告配信が実現できる。
【００３８】
特に、本実施形態では、特徴情報が存在する広告主（例えばＸ）の新たな広告（例えばｘ２）を配信する場合、配信の少なくとも一部について、既存の特徴情報（例えば「Ｆ１」）を配信条件の初期値として適用することにより、ランダムな配信条件や全く新規な配信条件のみで配信を開始する場合と比べ、配信当初から商品や分野などの関連に基づく優れた実績が期待でき、広告機会が有効活用できる。
【００３９】
〔４．他の実施形態〕
なお、上記各実施形態は例示に過ぎず、本発明は、以下に例示するものやそれ以外の他の実施態様も含むものである。例えば、本発明の広告表示装置は、広告の提供について、図示しない他のウェブサーバに提供してそのサーバから端末Ｔに配信させるのでもよいし、自ら提供するＨＴＭＬ等によるウェブページのデータに組み込んで提供するのでもよい。また、上記実施形態では、実績あるユーザに基づく特徴情報の抽出を、広告配信の初期のみに行う例を示したが、特徴情報の抽出は配信の進捗に応じて途中何度でも任意のタイミングで行ってよく、そうすれば、広告に応答してくれるユーザの特徴の変遷に対応することができる。
【００４０】
また、手段などの各要素は、コンピュータの演算制御部に限らず、ワイヤードロジック等に基づく電子回路など他の情報処理機構で実現してもよい。また、各構成図、データの図、フローチャートの図などは例示に過ぎず、各要素の有無、その順序や具体的内容などは適宜変更可能である。例えば、本発明の装置は、サーバなどの装置を複数用いて実現してもよく、個々の記憶手段を別個独立のサーバ装置やシステムで実現する構成も一般的である。また、機能によっては、外部のプラットフォーム等をＡＰＩ（アプリケーション・プログラム・インタフェース）やネットワークコンピューティング（いわゆるクラウドなど）で呼び出して実現するなど、構成は柔軟に変更できる。
【符号の説明】
【００４１】
１  広告表示装置
６  演算制御部
７  記憶装置
８  通信手段
１１  広告記憶手段
１２  ユーザ情報記憶手段
１３  実績ユーザ記憶手段
１４  広告属性記憶手段
１５  実績捕捉手段
１６  抽出手段
１７  配信手段
Ｎ  通信ネットワーク
Ｔ  端末
【図１】
2011238020.tif 000003
【図２】
2011238020.tif 000004
【図３】
2011238020.tif 000005
【図４】
2011238020.tif 000006